(57)【特許請求の範囲】
【請求項１】
録画された映像に対する編集作業の支援を行う映像編集支援システムであって、
前記映像情報及び前記映像を視聴したユーザが入力する重要箇所情報に基づいてポイント情報を生成するポイント情報生成部と、
前記ポイント情報を記憶するポイント情報記憶部と、
前記映像を一定の時間的範囲を示す区間で区切る区間設定部と、
前記区間情報に含まれるポイント情報の数に応じて前記区間毎の重要度を区間重要度として決定する区間重要度決定部と、
前記ポイント情報と前記区間に加え、前記区間重要度を関連付けた区間情報を記憶する区間情報記憶部と、
前記区間情報に含まれる区間の時間的範囲を、当該区間情報に含まれる前記区間重要度に対応する増減調整値に応じて増減調整して得られた範囲を重要範囲として判定する重要範囲判定部と、
前記重要範囲判定部における判定結果に基づいて前記映像を加工処理する加工処理部と、
前記加工処理部において加工処理された加工映像を表示する表示制御部と、
を備えることを特徴とする映像編集支援システム。
【請求項２】
前記映像編集支援システムは、更に、
前記映像が再生された時点における再生状況を解析した解析情報を記憶する解析情報記憶部と、を備え、
前記重要範囲判定部は、
前記解析情報に基づいて前記重要範囲に修正を加える、
ことを特徴とする請求項１に記載の映像編集支援システム。
【請求項３】
録画された映像に対して、当該映像の再生者が重要と判断した箇所を示すポイント情報を記憶するポイント情報記憶部と、
前記ポイント情報と前記映像を一定の時間的範囲で区切った区間情報とを記憶する区間情報記憶部と、
を備える映像編集支援システムに用いるプログラムであって、
前記映像情報及び前記映像を視聴したユーザが入力する重要箇所情報に基づいてポイント情報を生成するポイント情報生成機能と、
前記映像を一定の時間的範囲を示す区間で区切る区間設定機能と、
前記区間情報に含まれるポイント情報の数に応じて前記区間毎の重要度を区間重要度として決定する区間重要度決定機能と、
前記ポイント情報と前記区間に加え、前記区間重要度を関連付けた区間情報を前記区間情報記憶部に記憶させる機能と、
前記区間情報に含まれる区間の時間的範囲を、当該区間情報に含まれる前記区間重要度に対応する増減調整値に応じて増減調整して得られた範囲を重要範囲として判定する重要範囲判定機能と、
前記判定結果に基づいて前記映像を加工処理する加工処理機能と、
前記加工処理された加工映像を表示する表示制御機能と、
をコンピュータに実現させることを特徴とする映像編集支援プログラム。
【発明の詳細な説明】
【技術分野】
【０００１】
本発明は、映像の編集に関し、特に記録再生機器等において再生される映像の視聴と同時に編集箇所を特定する技術に関する。
【背景技術】
【０００２】
一般的に、テレビ放送される番組や撮影した動画を記録保存する場合、これらの映像に含まれる不要部分を削除する等の編集作業が行われる。しかし、この編集作業は、映像の内容に応じて編集箇所を特定しなければならないため、映像の内容確認が複数回必要となり、手間がかかるという問題がある。例えば、テレビ番組に含まれるコマーシャル映像を削除するためにその開始点と終了点を特定したり、撮影した映像の中から重要部分のみを抽出するためにその開始点と終了点を特定したりする場合、編集作業を行う者は、映像の内容を把握して編集箇所を特定しなければならないため、「巻き戻し」や「早送り」操作を複数回繰り返すこととなってしまう。
【０００３】
上記の問題を解決する手段として、映像の録画再生分野において、ユーザが映像を視聴しながら削除したい場面の映像（映画の予告編やテレビコマーシャル等）を発見した際、リモコン操作で削除したい場面を指定するという技術がある。この技術において、ユーザが映像を見ながらリモコンの編集ボタンを押下した映像位置を記録し、編集モード起動時に、その記録しておいた映像位置にジャンプ移動することにより編集操作の手間を削減するという手段が用いられている。これにより、編集作業を行うために「巻き戻し」や「早送り」操作を行う回数を削減することができる。（特許文献１参照）
【先行技術文献】
【特許文献】
【０００４】
【特許文献１】特開２００６−５３９４号公報
【発明の概要】
【発明が解決しようとする課題】
【０００５】
特許文献１の技術を用いると、映像の編集作業を行う際に「巻き戻し」や「早送り」操作を行う回数を削減することができる。しかし、ユーザが映像を視聴しながら削除したい場面をリモコンで指定したとしても、その指定した時点において削除したい場面の開始点が既に過ぎ去ってしまっていたり、指定した時点では削除したい場面がいつまで続くのか分からなかったりする。このため、特許文献１の技術では編集箇所の大まかな映像位置は把握することができたとしても、編集箇所の開始点と終了点を特定することはできない。
【０００６】
本発明は、上記従来技術の問題点を解消することを課題とする。具体的には、記録再生機器等において再生される映像の編集作業において、その映像を視聴しながら行われるユーザの操作内容に基づいて編集箇所の開始点と終了点を特定し、編集作業の手間を軽減するシステムを提供することを課題とする。
【課題を解決するための手段】
【０００７】
上記の課題を解決するために、本発明の映像編集支援システムは、映像情報及び映像を視聴したユーザが入力する重要箇所情報に基づいてポイント情報を生成するポイント情報生成部と、ポイント情報を記憶するポイント情報記憶部と、映像を一定の時間的範囲を示す区間で区切る区間設定部と、区間情報に含まれるポイント情報の数に応じて区間毎の重要度を区間重要度として決定する区間重要度決定部と、ポイント情報と区間に加え、区間重要度を関連付けた区間情報を記憶する区間情報記憶部と、区間情報に含まれる区間の時間的範囲を、その区間情報に含まれる区間重要度に対応する増減調整値に応じて増減調整して得られた範囲を重要範囲として判定する重要範囲判定部と、重要範囲判定部における判定結果に基づいて前記映像を加工処理する加工処理部と、加工処理部において加工処理された加工映像を表示する表示制御部と、を備えている。
【０００８】
本発明のように構成することにより、映像の再生者が重要と判断した時点を示すポイント情報から、映像内において重要な内容が記録されている範囲を把握することができる。さらに、その重要範囲の判定結果を利用することにより、映像内において不要と判断できる内容が記録されている範囲も把握することができる。これにより、編集箇所をその開始点と終了点も含めて特定することができるため、編集作業の手間を軽減することが可能となる。
【０００９】
本発明におけるポイント情報とは、ユーザが映像を視聴しながら重要だと感じた映像位置に関する情報のことをいう。具体的には、ユーザが映像視聴時に重要だと判断してリモコンのボタン等を押下した時刻を示す情報などがポイント情報として考えられる。
【００１０】
本発明における重要範囲とは、映像中において、その映像の再生者が重要だと判断した内容が記録されている映像位置の範囲を示す情報のことをいう。具体的には、ユーザが重要だと判断した場面の開始点と終了点の両方を示す再生時間情報などが重要範囲として考えられる。
【００１２】
本発明のように構成することにより、編集箇所の開始点と終了点を明確に特定することができるため、本システムにおける重要範囲の判定と加工処理を素早く行うことが可能となる。
【００１３】
本発明における区間とは、予め定めておいた条件に対応する映像位置で所定数に区切った範囲の一つを示す情報のことをいう。区間に区切る方法としては、所定値に基づいて均等に区切る方法（一定の時間的範囲で区切る場合や、予め定めた全区間数に応じて均等に区切る場合など。）や、映像の要素に応じて区切る方法（映像の色の変化量に応じて区切る場合や、映像に含まれる音情報の変化量に応じて区切る場合など。）等が考えられるが、いずれを用いても構わない。
【００１５】
本実施例のように構成することにより、映像中における重要部分や不要部分について、その重要度合いに応じた編集処理を行うことができる。これにより、ユーザの操作内容に応じて多様な編集処理を行うことが可能となる。
【００１６】
本発明の映像編集支援システムは更に、映像が再生された時点における再生状況を解析した解析情報を記憶する解析情報記憶部を備え、重要範囲判定部は、解析情報に基づいて重要範囲に修正を加える、という構成としてもよい。
【００１７】
本発明のように構成することにより、ユーザが映像をどういう状態で視聴したのかという再生状況を把握することができる。これにより、編集箇所の開始点と終了点をユーザの視聴状況に応じて細かく調整することが可能となる。
【００１８】
本発明における再生状況とは、ユーザが映像をどういう状態で使用していたのかという状況のことをいう。具体的には、映像の再生スピードや音声の大きさ等の情報が再生状況として取得できる情報の一例として考えられる。
【００１９】
また、本発明のプログラムを端末に読み込ませて実行することで、上述の本発明を実現させることも可能である。つまり、録画された映像に対して、当該映像の再生者が重要と判断した箇所を示すポイント情報を記憶するポイント情報記憶部と、ポイント情報と映像を一定の時間的範囲で区切った区間情報とを記憶する区間情報記憶部と、を備える映像編集支援システムに用いるプログラムであって、映像情報及び映像を視聴したユーザが入力する重要箇所情報に基づいてポイント情報を生成するポイント情報生成機能と、映像を一定の時間的範囲を示す区間で区切る区間設定機能と、区間情報に含まれるポイント情報の数に応じて区間毎の重要度を区間重要度として決定する区間重要度決定機能と、ポイント情報と区間に加え、区間重要度を関連付けた区間情報を区間情報記憶部に記憶させる機能と、区間情報に含まれる区間の時間的範囲を、その区間情報に含まれる区間重要度に対応する増減調整値に応じて増減調整して得られた範囲を重要範囲として判定する重要範囲判定機能と、判定結果に基づいて映像を加工処理する加工処理機能と、加工処理された加工映像を表示する表示制御機能と、をコンピュータに実現させることを特徴とする映像編集支援プログラムとして構成してもよい。
【００２０】
このプログラムも、上述の映像編集支援システムと同様の作用効果を伴うものであり、上述した種々の特徴構成を備えることもできる。
【発明の効果】
【００２１】
上述のように構成された本発明によれば、映像の再生者が重要と判断した箇所を示すための操作内容に基づいて、映像内の重要箇所と不要箇所の開始点及び終了点を特定することができる。これにより、編集処理を自動的に行うことができ、編集作業の手間を軽減することができるという効果を得ることができる。
【図面の簡単な説明】
【００２２】
【図１】本発明のシステム構成の一例を示す概念図。
【図２】本発明の管理サーバのハードウェア構成の一例を示す概念図。
【図３】本発明の実施例１におけるシステム構成の一例を示す機能ブロック図。
【図４】本発明のシステム構成の別例を示す概念図。
【図５】本発明の実施例１におけるシステム構成の別例を示す機能ブロック図。
【図６】本発明の実施例１における処理プロセスの一例を示すフローチャート。
【図７】本発明の映像情報記憶部１３に記憶する映像情報の一例を示す図。
【図８】本発明の加工データ記憶部１５に記憶する加工データの一例を示す図。
【図９】本発明のポイント情報生成部２５にて生成するポイント情報の一例を示す図。
【図１０】本発明のポイント情報記憶部１２に記憶するポイント情報の一例を示す図。
【図１１】本発明の加工データ記憶部１５内に設ける加工テーブルの一例を示す図。
【図１２】本発明の加工データ記憶部１５に記憶する加工データの一例を示す図。
【図１３】本発明の加工処理部１６にて生成する編集アドバイス情報の一例を示す図。
【図１４】本発明の実施例２におけるシステム構成の一例を示す機能ブロック図。
【図１５】本発明の実施例２におけるシステム構成の別例を示す機能ブロック図。
【図１６】本発明の実施例２における処理プロセスの一例を示すフローチャート。
【図１７】本発明の区間情報記憶部１８ｂに記憶する区間情報の一例を示す図。
【図１８】本発明のポイント情報記憶部１２に記憶するポイント情報の一例を示す図。
【図１９】本発明の区間情報記憶部１８ｂに記憶する更新後の区間情報の一例を示す図。
【図２０】本発明の重要範囲判定部１４内に設ける判定テーブルの一例を示す図。
【図２１】本発明の実施例３におけるシステム構成の一例を示す機能ブロック図。
【図２２】本発明の実施例３におけるシステム構成の別例を示す機能ブロック図。
【図２３】本発明の実施例３における処理プロセスの一例を示すフローチャート。
【図２４】本発明の解析情報記憶部１９ｂに記憶する解析情報の一例を示す図。
【図２５】本発明の重要範囲判定部１４内に設ける修正テーブルの一例を示す図。
【発明を実施するための形態】
【実施例１】
【００２３】
〔実施例１−構成（１）〕
以下、図面を用いて本発明の実施形態を説明する。図１に、本発明の映像編集支援システムの全体構成の一例を概念的に示す。本発明は図１に示すように、映像管理サーバＡ（以下、「管理サーバＡ」という）が、複数のクライアント端末Ｂ（以下、「端末Ｂ」という）と、通信ネットワークＮ（以下、「ネットワークＮ」という）を介して接続されるという形で構成されている。さらに、端末Ｂと、外部表示装置Ｃ及び外部入力装置Ｄとが、直接接続又はネットワークＮを介して接続されるという形式で構成されている。また、その接続形式は、無線接続形式でも優先接続形式でも、そのどちらであっても構わない。
【００２４】
外部表示装置Ｃは、指定されたデータや画像を画面やスクリーン等に表示する出力装置である。具体的には、ディスプレイやプロジェクタ等が一例として考えられる。管理サーバＡや端末Ｂに付属した表示装置とは別個の表示装置であることを明示するため、本明細書では外部表示装置Ｃと表記することとする。
【００２５】
外部入力装置Ｄは、所定の指示やデータ等の情報を入力するための入力装置である。具体的には、ユーザが指示した情報を送信するリモコンやキーボード等が一例として考えられる。管理サーバＡや端末Ｂに付属した入力装置とは別個の入力装置であることを明示するため、本明細書では外部入力装置Ｄと表記することとする。
【００２６】
ネットワークＮは、企業や学校等の限られた施設内において情報を物理的に送るケーブルと、ＬＡＮスイッチやハブ等でなる中継機器を備えたＣＳＭＡ／ＣＤ（Ｃａｒｒｉｅｒ  Ｓｅｎｓｅ  Ｍｕｌｔｉｐｌｅ  Ａｃｃｅｓｓ  Ｗｉｔｈ  Ｃｏｌｌｉｓｉｏｎ  Ｄｅｔｅｃｔｉｏｎ）方式のイーサネット（登録商標）型のＬＡＮとして構成されたものであるが、その他、インターネットの技術を用いたイントラネットで構築されたものや、ＷＡＮ（Ｗｉｄｅ  Ａｒｅａ  Ｎｅｔｗｏｒｋ）の技術によって構築されるものでもよい。
【００２７】
図２に、管理サーバＡ又は端末Ｂのハードウェア構成の一例を概念的に示す。
【００２８】
管理サーバＡは、プログラムの演算処理を実行するＣＰＵ等の演算装置１と、情報を記憶するＲＡＭやハードディスク等の記憶装置２と、演算装置１の処理結果や記憶装置２に記憶する情報をインターネットやＬＡＮ等のネットワークを介して送受信する通信装置３とを少なくとも有している。端末上で実現する各機能（各手段）は、その処理を実行する手段（プログラムやモジュール等）が演算装置１に読み込まれることでその処理が実行される。各機能は、記憶装置２に記憶した情報をその処理において使用する場合には、該当する情報を当該記憶装置２から読み出し、読み出した情報を適宜、演算装置１における処理に用いる。
【００２９】
管理サーバＡは、必要に応じてキーボード、マウス又はテンキー等の入力装置４と、ディスプレイ（画面）等の表示装置５を備えた構成としてもよい。また、管理サーバＡは、複数の端末又はサーバにその機能が分散配置されていてもよい。
【００３０】
端末Ｂのハードウェア構成も管理サーバＡとほぼ同様で、図２に示したとおり、演算装置１、記憶装置２、通信装置３、入力装置４及び表示装置５を有している。
【００３１】
図３に、本発明の映像編集支援システムを構成する管理サーバＡ、端末Ｂ、外部表示装置Ｃ及び外部入力装置Ｄの機能ブロック図を示す。本発明における各構成部及び各手段は、その機能が論理的に区別されているのみであって、物理上あるいは事実上同一の領域を為していてもよい。
【００３２】
また、図３は、本発明において必要となる最小限度の機器、構成部及び手段等のみを記載しており、その他の機器、構成部及び手段等についてはその記載を省略する。
【００３３】
管理サーバＡは、ネットワークＮを介して端末Ｂと様々な情報を送受信するためのネットワークＩ／Ｆ１０、端末Ｂにおいて再生された映像の重要箇所を示すポイント情報を取得するポイント情報取得部１１、取得したポイント情報を記憶するポイント情報記憶部１２、端末Ｂで再生する映像に関する情報を記憶する映像情報記憶部１３、ポイント情報と映像情報を用いて映像内の重要範囲を判定する重要範囲判定部１４、判定した重要範囲に基づいて映像を加工するための情報を生成して記憶する加工データ記憶部１５、記憶された加工データを用いて映像に対して加工処理を行う加工処理部１６、加工処理した結果生成された映像を端末Ｂに対して送信する表示制御部１７を備えている。
【００３４】
端末Ｂは、ネットワークＮを介して管理サーバＡと様々な情報を送受信するためのネットワークＩ／Ｆ２０、端末Ｂにおいて再生される映像に関する情報を管理サーバＡから受信する表示情報受信部２１、受信した情報に応じて端末Ｂにおける各種動作を実行する端末制御部２２、端末制御部２２によって指示された情報を表示する端末表示装置２２、端末制御部２２に対して情報を入力する端末入力装置２４、端末Ｂにおいて再生された映像の重要箇所を示すポイント情報を生成するポイント情報生成部２５を備えている。
【００３５】
外部表示装置Ｃは、端末Ｂと直接接続又はネットワークＮを介して接続されるという形式（無線接続形式又は優先接続形式のどちらでも構わない。）で構成され、端末制御部２２指示された情報を表示する。
【００３６】
外部入力装置Ｄは、端末Ｂと直接接続又はネットワークＮを介して接続されるという形式（無線接続形式又は優先接続形式のどちらでも構わない。）で構成され、端末制御部２２対して情報を入力する。
【００３７】
以下、図３に記載した本発明を構成する機能ブロック図に基づいて、各構成部の動作について説明する。
【００３８】
表示情報受信部２１は、端末Ｂにおいて再生する映像に関する情報を、ネットワークＩ／Ｆ２０を介して管理サーバＡから取得し、取得した映像情報を端末制御部２２に送信する。
【００３９】
上記の映像情報とは、端末Ｂを使用するユーザが端末Ｂを利用して視聴する映像に関する情報のことをいう。具体的には、映像に含まれる音声及び動画等に関するデータ情報、映像の全体再生時間情報、映像を一義的に識別する映像識別情報（タイトル、番組名、識別コードなど）等を含むものをいう。
【００４０】
端末制御部２２は、表示情報受信部２１から取得した映像情報を再生表示する処理を実行し、端末表示装置２３又は外部表示装置Ｃに表示する。さらに、端末制御部２２は、端末表示装置２３又は外部表示装置Ｃに表示された映像を視聴したユーザが、端末入力装置２４又は外部入力装置Ｄを用いた入力によって、映像中において重要だと判定した箇所に関する重要箇所情報を取得する。
【００４１】
ポイント情報生成部２５は、端末制御部２２が取得した端末入力装置２４又は外部入力装置Ｄによって入力された重要箇所情報と再生表示している映像情報とを取得し、ポイント情報を生成する。さらに、生成したポイント情報をネットワークＩ／Ｆ２０を介して管理サーバＡに送信する。
【００４２】
上記のポイント情報とは、ユーザが映像視聴時に重要だと判断して端末入力装置２４又は外部入力装置Ｄ（キーボードやリモコン等）のボタン等を押下した時刻、又はそのボタンが押下された時点における映像位置を示す情報のことをいう。具体的には、ユーザが視聴した映像を一義的に識別する映像識別情報、及び重要だと判断してボタンを押下した時点を示す再生時間情報（又は映像位置を示す位置情報等）を含むものをいう。
【００４３】
ポイント情報取得部１１は、ネットワークＮに接続されている端末Ｂから出力されたポイント情報をネットワークＩ／Ｆ１０を介して取得し、取得したポイント情報をポイント情報記憶部１２に記憶する。
【００４４】
ポイント情報記憶部１２には、ポイント情報取得部１１が取得したポイント情報が記憶される。その際の記憶形式は、ポイント情報に含まれる映像識別情報を利用して、映像別に関連付けて記憶するという形式にすると好適である。さらに、ポイント情報に含まれる再生時間情報を利用して、時系列的に記憶するという形式にしてもよい。
【００４５】
映像情報記憶部１３には、端末Ｂを介して端末表示装置２３又は外部表示装置Ｃにおいて再生表示させるための映像情報が予め記憶される。その際の記憶形式は、映像情報に含まれる映像識別情報を利用して、映像別に各種情報を関連付けて記憶するという形式にすると好適である。
【００４６】
重要範囲判定部１４は、ポイント情報記憶部１２に記憶されているポイント情報に対応する映像情報を、ポイント情報に含まれている映像識別情報を利用して映像情報記憶部１３から抽出し、その抽出した映像情報内における重要範囲を判定する。そして、重要範囲判定部１４は、判定した重要範囲情報を加工データ生成部１５に送信する。
【００４７】
上記の重要範囲の判定方法について詳細に説明する。重要範囲判定部１４は、まず、抽出した映像情報のどの位置（再生時刻等）においてポイント情報が取得されているのかを判定する。次に、そのポイント情報が取得された位置を基準として、予め定められた所定値分の前後範囲を算出し、その算出した前後範囲内を当該映像における重要範囲と判定する。そして、その重要範囲以外の箇所は、当該映像における不要範囲であると判定する。この重要範囲と不要範囲に関する情報をまとめた重要範囲情報が、加工データ記憶部１５に送信されることとなる。なお、加工データは重要範囲のみ、もしくは、不要範囲のみ、を判定・生成するようにしても当然にかまわない。
【００４８】
加工データ記憶部１５は、重要範囲判定部１４から取得した重要範囲情報の内容に基づいて、映像のどの部分にどういった加工処理を施すのかを示す加工データを生成し、映像識別情報毎に関連付けて記憶する。
【００４９】
上記の加工データの生成方法について詳細に説明する。まず、加工データ記憶部１５は、まず、重要範囲判定部１４から取得した重要範囲情報と、重要範囲情報と加工処理内容とを関連付けた加工テーブル（図示せず）との内容を照合し、映像のどの部分にどういった編集処理を施すのかを決定する。この際に用いる加工テーブルには、重要範囲と不要範囲に対して、それぞれどういった加工処理を施すのかを予め一対一で対応させた形式で記憶されているものとする。そして、加工データ記憶部１５は、決定した加工処理の内容と当該映像を示す映像識別情報とを関連付けて加工データを生成し、加工データに含まれる映像識別情報毎に記憶しておく。
【００５０】
加工処理部１６は、表示制御部１７から映像加工指示を受信すると、映像情報記憶部１３から該当する映像情報を抽出し、さらに抽出した映像情報に対応する加工データを加工データ記憶部１５から抽出する。次に、映像に対して加工データに基づいた加工処理を実行する。そして、加工処理後の加工映像情報を表示制御部１７に送信する。
【００５１】
表示制御部１７は、ネットワークＩ／Ｆ１０を介して端末Ｂから映像要求指示を受信すると、加工処理部１６に対して映像加工指示を送信する。そして、加工処理部１６から受信した加工処理後の加工映像情報を、ネットワークＩ／Ｆ１０を介して端末Ｂに送信する。
【００５２】
〔実施例１−構成（２）〕
次に、図面を用いて本実施形態の別構成について説明する。図４に、本発明の表示変更システムの全体構成の一例を概念的に示す。本発明は図４に示すように、端末Ｂと外部表示装置Ｃ及び外部入力装置Ｄとが、直接接続又はネットワークＮを介して接続されるという形で構成されている。また、その接続形式は、無線接続形式でも優先接続形式でも、そのどちらであっても構わない。
【００５３】
次に、図５の機能ブロック図を用いて、本発明の表示変更システムの本実施形態の構成（２）について説明する。なお、構成（１）と同一の構成部には同一の符号を付しており、構成（１）と同じ動作をする場合にはその詳細な説明は省略する。
【００５４】
本発明の表示変更システムの本実施例における構成（２）は、端末Ｂの内部に、ポイント情報記憶部１２、映像情報記憶部１３、重要範囲判定部１４、加工データ記憶部１５、加工処理部１６、及び表示制御部１７を有しているという点において、本実施例の構成（１）と異なっている。
【００５５】
本構成（２）は、本実施例の構成（１）のように管理サーバＡを設けず、端末Ｂのみで本発明を実現することができるという点に特徴がある。上述のように構成することにより、本発明のシステム構成に関わる作業や費用を削減することができる。
【００５６】
〔実施例１−処理プロセス〕
次に、本発明の映像編集支援システムにおける処理プロセスの一例を、図３の機能ブロック図及び図６のフローチャート等を用いて説明する。なお、以下の説明では、本システムの使用場所として小学校、本システムのユーザとして小学校教諭（以下「教師」という）、本システムによる編集対象となる映像として録画したテレビ番組、を用いる場合を例に説明することとする。
【００５７】
端末Ｂの端末制御部２２は、端末入力装置２４又は外部入力装置Ｄを介して端末Ｂに入力された映像要求指示を取得し、表示情報受信部２１に送信する。表示情報受信部２１は、ネットワークＩ／Ｆ２０を介して映像要求指示を管理サーバＡに送信する。
【００５８】
上記の処理について、本システムを小学校で使用する場合を例に説明する。端末Ｂのユーザである教師は、自身の授業で使用するために録画して管理サーバＡに保存しておいたテレビ番組（映像）を授業前に視聴するために、端末Ｂに接続されているキーボード等（端末入力装置２４）や、リモコン（外部入力装置Ｄ）を用いて、端末Ｂのディスプレイ（端末表示装置２３）又は端末Ｂと接続されているモニターやプロジェクター（外部表示装置Ｃ）に映像を表示するように指示を行う。この指示を受信した端末制御部２２は、表示情報受信部２１に映像要求指示を生成させ、表示情報受信部２１は、生成した映像要求指示をネットワークＩ／Ｆ２０を介して管理サーバＡへ送信する。この映像要求指示には、ユーザが要求する映像を一義的に識別する映像識別情報が含まれることとする。本実施例では、映像識別情報「Ｖ００１」を表示するように映像要求指示が出力されたこととする。
【００５９】
管理サーバＡの表示制御部１７は、端末Ｂから出力された映像要求指示をネットワークＩ／Ｆ１０を介して取得し（Ｓ１０１）、映像要求指示に含まれる映像識別情報を用いて、映像を抽出するための映像取得指示を作成し、加工処理部１６に送信する。この映像取得指示には、映像識別情報が含まれることとする。本実施例の場合、映像識別情報「Ｖ００１」が含まれることとなる。
【００６０】
加工処理部１６は、表示制御部１７から映像取得指示を受信すると、映像取得指示に含まれる映像識別情報を用いて、映像情報記憶部１３から該当する映像情報を抽出して取得する（Ｓ１０２）。本実施例の場合、映像識別情報「Ｖ００１」に関する映像情報を取得することとなる。
【００６１】
映像情報記憶部１３には、端末Ｂにおいて再生するために予め保存された各種映像情報が記憶される。この記憶される映像情報には、映像を一義的に識別する映像識別情報、映像全体の再生時間情報（全体再生時間情報）、映像に含まれる動画データ情報及び音声データ情報が含まれていることとする。映像情報記憶部１３に記憶されている映像情報の一例を、図７に示す。
【００６２】
次に、加工処理部１６は、抽出した映像情報に該当する加工データが存在するかどうか、映像情報に含まれる映像識別情報を用いて、加工データ記憶部１５内を検索する。検索した結果加工データが存在しない場合、取得した映像情報をそのまま（加工処理せずに）表示制御部１７に送信する（Ｓ１０３）。
【００６３】
加工データ記憶部１５には、映像のどの部分にどういった加工処理を施すのかを示す加工データが、映像識別情報毎に関連付けて記憶されている。この記憶される加工データには、映像を一義的に識別する映像識別情報、映像の重要箇所を示す重要範囲、映像の不要箇所を示す不要範囲、及びそれぞれの範囲に対してどういった加工処理を施すのかを示す加工処理内容が含まれていることとする。加工データ記憶部１５に記憶されている加工データの一例を、図８に示す。本実施例の場合、加工データ記憶部１５内に映像識別情報「Ｖ００１」の加工データは存在していないので、取得した映像情報は加工処理されずにそのまま表示制御部１７に送信されることとなる。
【００６４】
表示制御部１７は、加工処理部１６から取得した映像情報をネットワークＩ／Ｆ１０を介して端末Ｂに送信する。
【００６５】
端末Ｂの表示情報受信部２１は、ネットワークＩ／Ｆ２０を介して管理サーバＡから映像情報を受信し、端末制御部２２に送信する。
【００６６】
端末制御部２２は、取得した映像情報を再生し、端末表示装置２３又は外部表示装置Ｃに表示する（Ｓ１０４）。
【００６７】
端末表示装置２３又は外部表示装置Ｃにおいて映像を視聴したユーザは、再生されている映像において重要だと判断した場面に関するポイント情報を、端末入力装置２４又は外部入力装置Ｄを用いて端末制御部２２に対して入力する。
【００６８】
上記の処理について、本実施例における場合を例に具体的に説明する。上述に示すように、ユーザが小学校の教師で、視聴する映像が当該教師の授業において使用するビデオ映像（映像識別情報「Ｖ００１」）であった場合、教師は、映像を視聴している中で、重要だと判断した場面で端末入力装置２４（例えば、キーボード等）のボタンや、外部入力装置Ｄ（例えば、リモコン等）のボタンを押下する。視聴している映像中において、重要だと判断できる場面が複数連続して出てくる場合や、より重要だと判断する場面が出てきた場合には、ボタンを連続して押下することとする。ボタン押下の回数やタイミングについては特に制限は設けないこととする。
【００６９】
ポイント情報生成部２５は、端末制御部２２が取得した端末入力装置２４又は外部入力装置Ｄによって入力された情報を取得し、ポイント情報を生成する。この生成されるポイント情報には、ユーザが視聴した映像を一義的に識別する映像識別情報、ユーザが重要だと判断してボタンを押下した映像位置を示す再生時間情報、及び視聴したユーザを一義的に識別するユーザ識別情報（又は、ポイント情報を出力した端末を一義的に識別する端末識別情報）が少なくとも含まれていることとする。生成されるポイント情報の一例を、図９に示す。
【００７０】
ポイント情報生成部２５は、さらに、生成したポイント情報をネットワークＩ／Ｆ２０を介して管理サーバＡに送信する。このポイント情報の送信タイミングは、ポイント情報生成部がポイント情報を生成するタイミングでその都度送信する形式としても良いし、所定時間内に生成されたポイント情報をまとめて定期的に送信するという形式としてもよい。
【００７１】
管理サーバＡのポイント情報取得部１１は、端末Ｂから送信されたポイント情報をネットワークＩ／Ｆ１０を介して取得し、取得したポイント情報をポイント情報記憶部１２に記憶する（Ｓ１０５）。ポイント情報記憶部１２に記憶されているポイント情報の一例を、図１０に示す。
【００７２】
重要範囲判定部１４は、ポイント情報記憶部１２に記憶されているポイント情報に対応する映像情報を、映像情報記憶部１３から抽出し、その抽出した映像情報内における重要範囲を判定する（Ｓ１０６）。そして、判定した重要範囲情報を加工データ生成部１５に送信する。
【００７３】
上記の処理について具体的に説明する。ポイント情報が図１０の通りに記憶されており、映像識別情報「Ｖ００１」に対応する映像の重要範囲を判定する場合を例に説明する。まず、重要範囲判定部１４は、映像情報記憶部１３から映像識別情報「Ｖ００１」に該当する映像情報を抽出する。次に、映像情報記憶部１３から抽出した映像識別情報「Ｖ００１」のポイント情報が取得された位置（再生時間情報）を中心として、予め定められた所定値分の前後範囲を算出し、その算出した前後範囲内を当該映像における重要範囲と判定する。ここでは、所定値を「前後５分間」と設定することとする。この設定の場合、重要範囲は「０：０５：２０〜０：１５：２０」、「０：２０：４０〜０：３０：４０」、「０：３７：０５〜０：４７：０５」の三つであると判定される。そして、映像識別情報「Ｖ００１」に該当する映像情報の中から全体の再生時間「０：５５：３０」を抽出し、そこから重要範囲を除外した不要範囲を判定する。その結果、「０：００：００〜０：０５：２０」、「０：１５：２０〜０：２０：４０」、「０：３０：４０〜０：３７：０５」、「０：４７：０５〜０：５５：３０」の四つであると判定される。重要範囲判定部１４は、この判定された重要範囲と不要範囲に関する情報を重要範囲情報としてまとめて、加工データ記憶部１５に送信する。
【００７４】
加工データ記憶部１５は、重要範囲判定部１４から取得した重要範囲情報に基づいて加工データを生成すると共に、その加工データを自身の記憶領域内に映像識別情報毎に関連付けて記憶する（Ｓ１０７）。
【００７５】
上記の処理について具体的に説明する。まず、加工データ記憶部１５は、まず、重要範囲判定部１４から取得した重要範囲情報に対して、重要範囲種別（ここでは、重要範囲か不要範囲かを識別する情報のことをいう。）と加工処理内容とを関連付けた加工テーブルとの内容を照合し、映像のどの部分にどういった編集処理を施すのかを決定する。この場合に用いられる加工テーブルの一例を、図１１に示す。
【００７６】
次に、加工データ記憶部１５は、重要範囲情報に応じた加工処理の内容を決定し、映像識別情報と関連付けて加工データを生成する。そして、その加工データ情報に含まれる映像識別情報ごとに、自身の記憶領域内に加工データを記憶しておく。加工データ記憶部１５内に記憶されている加工データの一例を、図１２に示す。
【００７７】
加工処理部１６は、表示制御部１７から映像取得指示に基づいて、映像情報記憶部１３から該当する映像情報を抽出して取得する（Ｓ１０２）。本実施例では、教師が授業で実際に使用するために、映像識別情報「Ｖ００１」に関する映像情報を取得する（２回目の取得）場合を例に説明する。
【００７８】
次に、加工処理部１６は、抽出した映像情報に該当する加工データが存在するかどうか、加工データ記憶部１５内を検索する（Ｓ１０３）。検索した結果加工データが存在する場合、加工データに基づいて映像情報を加工処理する（Ｓ１０８）。そして、加工処理部１６は、加工処理後の加工映像情報を表示制御部１７に送信する。
【００７９】
上記の処理を具体的に説明する。加工データ記憶部内に記憶されている加工データが図１２の通りであり、表示制御部１７から、映像識別情報「Ｖ００１」に関する映像情報の映像取得指示を受信した場合について説明する。加工処理部１６は、映像識別情報「Ｖ００１」に関する加工データが存在するかどうか、加工データ記憶部１５内を検索する。その結果、映像識別情報「Ｖ００１」に関する加工データが存在するので、その加工データに基づいて取得した映像情報に対して加工処理を実行する。具体的には、映像情報の中から、不要範囲「０：００：００〜０：０５：２０」、「０：１５：２０〜０：２０：４０」、「０：３０：４０〜０：３７：０５」、「０：４７：０５〜０：５５：３０」の四つの不要範囲の動画データ及び音声データについて、映像情報から削除するという加工処理が実行される。そして、加工処理後の加工映像情報を表示制御部１７に送信する。
【００８０】
上述の処理では、映像情報から不要範囲の動画データ及び映像データを削除するという加工処理を行う場合を説明したが、別の方法で加工処理を実行してもよい。例えば、実際に削除を行うのではなく、映像情報から削除すべき動画データ及び音声データの位置及び範囲を、実際に編集処理を行うユーザに対してアドバイスするような画像を生成し、映像情報に添付して加工映像情報として表示制御部１７に送信するという方法も考えられる。
【００８１】
上記の処理内容を具体的に説明する。加工処理部１６は、加工処理部１６を検索し、映像識別情報「Ｖ００１」に関する加工データに基づいて取得した三つの必要範囲及び四つの不要範囲と、映像情報記憶部１３から取得した映像識別情報「Ｖ００１」に関する映像の全体再生時間情報「０：５５：３０」とを用いて、編集アドバイス情報を生成する。生成される編集アドバイス情報の一例を、図１３に示す。そして、加工処理部１６は、映像情報に編集アドバイス情報を加えた情報を加工映像情報として、表示制御部１７に送信する。
【００８２】
表示制御部１７は、加工処理部１５から受信した加工映像情報をネットワークＩ／Ｆ１０を介して端末Ｂに送信し、端末Ｂの端末表示装置２３又は端末Ｂに接続される外部表示装置Ｃに表示させる（Ｓ１０９）。
【００８３】
上記の処理について、端末Ｂの端末表示装置２３又は端末Ｂに接続される外部表示装置Ｃで表示される加工映像情報は、映像情報から不要範囲の動画データ及び映像データを削除された編集済みの加工映像が表示されるとしてもよいし、映像情報から削除すべき動画データ及び音声データの位置及び範囲をアドバイスする編集アドバイス情報が表示されるとしてもよい。
【００８４】
上記の処理では、重要範囲をポイント情報の位置を基準とした前後所定範囲と判定するようにしたが、特定のポイント情報の位置の所定範囲内に別のポイント情報が含まれている場合は、その別のポイント情報の数に応じて重要範囲を変更するようにしても良い。例えば、特定のポイント情報の位置の前後５分内に他のポイント情報が更にもう１つ含まれている場合は、特定のポイント情報の前後７分間を重要範囲とし、他のポイント情報が更に２つ含まれている場合は、特定のポイント情報の前後９分間を重要範囲とするなどである。
【００８５】
上述の実施形態とすることにより、ユーザが映像内の重要箇所及び不要箇所の開始点並びに終了点を特定するという操作を行わなくても、システム側で自動的に開始点並びに終了点の判定を自動で行うことが可能となり、編集作業の手間を軽減することができる。
【実施例２】
【００８６】
〔実施例２−構成（１）〕
次に、本発明の第二実施形態について説明する。本発明の第二実施形態の全体構成は、図１に示すものと同様、管理サーバＡが複数のクライアント端末Ｂと通信ネットワークＮを介して接続されるという形で構成されている。さらに、端末Ｂと、外部表示装置Ｃ及び外部入力装置Ｄとが、直接接続又はネットワークＮを介して接続されるという形式で構成されている。
【００８７】
次に、図１４の機能ブロック図を用いて、本発明の表示変更システムの第二実施形態を説明する。なお、実施例１と同一の構成部には同一の符号を付しており、実施例１と同じ動作をする場合にはその詳細な説明は省略する。
【００８８】
本発明の映像編集支援システムの第二実施形態は、管理サーバＡの内部に、映像を一定の時間的範囲を示す区間で区切る区間設定部１８ａ、区切った区間に関する情報を記憶する区間情報記憶部１８ｂ、区切った区間毎の重要度を判定する区間重要度決定部１８ｃを備えているという点において、実施例１の実施形態と異なっている。
【００８９】
以下、各構成部の動作について説明する。なお、実施例１と同様の構成部又は同様の動作については、詳細な説明を省略する。
【００９０】
区間設定部１８ａは、映像情報記憶部１３に記憶されている映像情報に対し、あらかじめ定められた所定範囲に基づいて区切った区間を設定する。この区間の設定方法は、予め定められた時間的範囲に基づいて区間を設定するという方法を用いてもよいし、映像情報に対して設ける区関数を予め所定数に定めておいて、その区間数にあわせて等間隔に区間を設定するという方法を用いてもよい。そして、設定した区間に関する情報と映像情報に含まれる映像識別情報とを関連付けて区間情報を生成し、区間情報記憶部１８ｂに送信する。
【００９１】
区間情報記憶部１８ｂには、区間設定部で生成された区間情報が記憶される。その記憶形式は、区間情報に含まれる映像識別情報毎に関連付けて記憶するという形式にすると好適である。
【００９２】
区間重要度決定部１８ｃは、区間情報記憶部１８ｂに記憶されている区間情報を抽出し、それぞれの区間においてどれだけのポイント情報が出力されているのか、ポイント情報記憶部１２を検索する。そして、その検索結果に基づいて各区間の重要度（区間重要度）を判定する。そして、区間重要度算出部１８ｃは、抽出した区間情報に対して、各区間の区間重要度を加える形で更新を行い、区間情報記憶部１８ｂに記憶する。
【００９３】
上記の区間情報における各区間の区間重要度の決定方法について詳細に説明する。まず、
区間情報記憶部１８ｂに記憶されている各区間情報を抽出する。次に、その抽出した区間情報に含まれる映像識別情報に基づいて対応するポイント情報をポイント情報記憶部１２の中から検索し、各区間においてどれだけのポイント情報が出力されているのか、その数を計数する。そして、そのポイント情報の計数結果に応じて各区間の区間重要度を決定する。
【００９４】
上記では、区間情報毎に区間重要度を算出する方法について説明したが、区間重要度を算出せずに、区間毎にポイント情報の有無を検索し、ポイント情報が含まれている区間を重要区間、含まれていない区間を不要区間として判定するとしてもよい。
【００９５】
重要範囲判定部１４は、区間情報記憶部１８ｂに記憶されている区間情報に基づいて、映像情報内における重要範囲を判定する。そして、重要範囲判定部１４は、判定した重要範囲情報を加工データ生成部１５に送信する。
【００９６】
上記の重要範囲の判定は、区間情報に含まれる区間重要度を利用し、様々な方法を用いて行うことができる。例えば、（１）区間重要度が所定値以上の区間を重要範囲として判定する方法、（２）区間重要度に応じて、区間の範囲を増減調整して得られた値を重要範囲として判定する方法、という方法が考えられる。
【００９７】
〔重要範囲の判定方法（１）〕
区間重要度が所定値以上の区間を重要範囲として判定する方法について説明する。この方法は、まず、重要範囲判定部１４の内部に判定を行うための基準となる所定値を設定する判定テーブル（図示せず）を設け、その判定テーブルに所定値を予め定めておく。次に、重要範囲判定部１４は、区間情報記憶部１８ｂに記憶されている各区間の区間情報を抽出し、その区間重要度が所定値以上か否かを判定する。そして、区間重要度が所定値以上であった区間を重要範囲と判定するというものである。
【００９８】
〔重要範囲の判定方法（２）〕
区間重要度に応じて区間の範囲を増減調整して得られた区間を重要範囲として判定する方法について説明する。この方法は、まず、重要範囲判定部１４の内部に判定を行うための基準となる所定値を設定する判定テーブル（図示せず）を設け、その判定テーブルに所定値を予め定めておく。この判定テーブルには、区間重要度と範囲の増減調整値とが関連付けて記憶されているものとする。次に、重要範囲判定部１４は、区間情報記憶部１８ｂに記憶されている各区間の区間情報を抽出し、その区間重要度に対応する範囲の増減調整値を判定テーブルから特定する。そして、特定した範囲の増減調整値に応じて該当する区間の範囲を調整し、その調整後の範囲を重要範囲として判定するというものである。
【００９９】
〔実施例２−構成（２）〕
次に、図面を用いて本実施形態の別構成について説明する。本構成は図４に示すものと同様、端末Ｂと外部表示装置Ｃ及び外部入力装置Ｄとが、直接接続又はネットワークＮを介して接続されるというものである。また、その接続形式は、無線接続形式でも優先接続形式でも、そのどちらであっても構わない。
【０１００】
次に、図１５の機能ブロック図を用いて、本発明の表示変更システムの本実施形態の構成（２）について説明する。なお、構成（１）と同一の構成部には同一の符号を付しており、構成（１）と同じ動作をする場合にはその詳細な説明は省略する。
【０１０１】
本発明の表示変更システムの本実施例における構成（２）は、端末Ｂの内部に、ポイント情報記憶部１２、映像情報記憶部１３、重要範囲判定部１４、加工データ記憶部１５、加工処理部１６、表示制御部１７、区間設定部１８ａ、区間情報記憶部１８ｂ、および区間重要度決定部１８ｃを有しているという点において、本実施例の構成（１）と異なっている。
【０１０２】
本構成（２）は、本実施例の構成（１）のように管理サーバＡを設けず、端末Ｂのみで本発明を実現することができるという点に特徴がある。上述のように構成することにより、本発明のシステム構成に関わる作業や費用を削減することができる。
【０１０３】
〔実施例２−処理プロセス（１）〕
次に、本発明の映像編集支援システムにおける処理プロセスの一例を、図１４の機能ブロック図及び図１６のフローチャート等を用いて説明する。なお、以下の説明では、重要範囲の判定方法として（１）区間重要度が所定値以上の区間を重要範囲として判定する方法、を用いる場合について説明する。
【０１０４】
図１６のフローチャートにおける（Ｓ２０１）から（Ｓ２０５）、（Ｓ２０９）から（Ｓ２１１）の動作については、〔実施例１−処理プロセス〕と同様のため、その説明を省略する。
【０１０５】
区間設定部１８ａは、映像情報記憶部１３に記憶されている映像情報に対し、予め定められた所定範囲に基づいて区切った区間を設定し、設定した区間に関する情報と映像情報に含まれる映像識別情報とを関連付けて区間情報を生成して（Ｓ２０７）、区間情報記憶部１８ｂに送信する。
【０１０６】
上記の処理を具体的に説明する。映像情報が図７の通りに記憶されており、映像識別情報「Ｖ００２」に対応する映像の区間情報を生成する場合を例に説明する。まず、区間設定部１８ａは、映像情報記憶部１３から映像識別情報「Ｖ０００２」に該当する映像情報を抽出する。次に、予め定められた所定範囲（ここでは、「１５分」とする。）に基づいて映像情報を区切って区間情報を生成する。
【０１０７】
区間情報記憶部１８ｂには、区間設定部で生成された区間情報が記憶される。その記憶形式は、区間情報に含まれる映像識別情報毎に関連付けて記憶するという形式にすると好適である。記憶される区間情報の一例を、図１７に示す。
【０１０８】
区間重要度決定部１８ｃは、区間情報記憶部１８ｂに記憶されている区間情報を抽出し、それぞれの区間において出力されているポイント情報の数を、ポイント情報記憶部１２を検索することにより計数する。そして、その計数結果に基づいて各区間の区間重要度を判定する。さらに、区間重要度算出部１８ｃは、抽出した区間情報に対して、各区間の区間重要度を加える形で更新を行い、区間情報記憶部１８ｂに記憶する（Ｓ２０７）。
【０１０９】
上記の処理を具体的に説明する。区間情報が図１７の通りに記憶されており、ポイント情報が図１８の通りにポイント情報記憶部１２に記憶されている場合を例に説明する。区間重要度決定部１８ｃは、区間情報記憶部１８ｂに記憶されている区間情報の中から、区間識別情報「区間１」を抽出する。次に、ポイント情報記憶部１２を検索し、区間識別情報「区間１」の区間範囲「０：００：００〜０：１５：００」においてポイント情報がいくつあるかを検索する。その結果、ポイント情報の数は「１」と計数される。同様にして、区間情報記憶部１８ｂに記憶されている全ての区間情報についてポイント情報の数を計数した結果、区間識別情報「区間２」は「２」、「区間３」は「３」、「区間４」は「０」、「区間５」は「２」、「区間６」は「０」であると計数される。
【０１１０】
さらに、区間重要度決定部１８ｃは、計数したポイント情報の数に応じて予め設定された係数で換算した区間重要度を算出し、各区間における区間重要度を決定する。本実施例では、ポイント情報の数に対して係数「１」を乗算した値を区間重要度として算出することとする。そして、区間重要度算出部１８ｃは、抽出した区間情報に対して、各区間の区間重要度を加える形で更新を行い、区間情報記憶部１８ｂに記憶する。更新して記憶される区間情報の一例を、図１９に示す。
【０１１１】
重要範囲判定部１４は、区間情報記憶部１８ｂに記憶されている区間情報に基づき、映像情報内における重要範囲を判定する（Ｓ２０８）。そして、判定した重要範囲情報を加工データ生成部１５に送信する。
【０１１２】
上記の処理を具体的に説明する。まず、重要範囲判定部１４は、区間情報記憶部１８ｂに記憶された区間情報を抽出し、各区間における区間重要度に応じて重要範囲か否かの判定を行う。その判定方法は、重要範囲判定部１４の内部に判定基準となる所定値を設定する判定テーブル（図示せず）を設け、その判定テーブルを用いて判定を行うという方法を用いる。本実施例では、判定テーブル内に所定値として「区間重要度２以上」が設定されることとする。
【０１１３】
次に、重要範囲判定部１４は、区間情報記憶部１８ｂに記憶されている各区間の区間情報を抽出し、その区間重要度が所定値以上か否かを判定する。その結果、区間識別情報「区間３」と「区間５」が所定値以上であると判定される。そして、その所定値以上の区間情報に含まれる区間範囲を重要範囲と判定し、加工データ生成部１５に送信する。本実施例では、区間識別情報「区間３」の区間範囲「０：３０：００〜０：４５：００」と、区間識別情報「区間５」の区間範囲「１：００：００〜１：１５：００」の二つが重要範囲と判定され、加工データ生成部１５に送信されることとなる。なお、区間重要度が所定値以上であって、さらに高い任意の値（重要閾値）を超えている場合には、隣接する区間を重要範囲として含むようにしてもかまわない。
【０１１４】
上述の実施形態とすることにより、システム側で自動的に開始点並びに終了点の判定を自動で行うことが可能となることに加え、ユーザがより重要であると感じている箇所を自動的に厳選して加工処理を行うということも可能となり、ユーザ編集作業の手間をさらに軽減することができる。
【０１１５】
〔実施例２−処理プロセス（２）〕
次に、本発明の映像編集支援システムにおける処理プロセスの別実施例を、図１４の機能ブロック図及び図１６のフローチャート等を用いて説明する。なお、以下の説明では、重要範囲の判定方法として（２）区間重要度に応じて区間の範囲を増減調整して得られた値を重要範囲として判定する方法、を用いる場合について説明する。
【０１１６】
図１６のフローチャートにおける（Ｓ２０８）以外の動作については、〔実施例１−処理プロセス〕及び〔実施例２−処理プロセス（１）〕と同様のため、その説明を省略する。
【０１１７】
重要範囲判定部１４は、区間情報記憶部１８ｂに記憶されている区間情報に基づき、映像情報内における重要範囲を判定する（Ｓ２０８）。そして、判定した重要範囲情報を囲うデータ生成部１５に送信する。
【０１１８】
上記の処理を具体的に説明する。まず、重要範囲判定部１４は、区間情報記憶部１８ｂに記憶された区間情報を抽出し、各区間における区間重要度に応じて重要範囲の長さを増減調整する。その判定は、重要範囲判定部１４の内部に設けられた、区間重要度と範囲の増減調整値とを関連付けて記憶した判定テーブルを利用することにより行われる。この判定テーブルに記憶されている内容の一例を、図２０に示す。
【０１１９】
次に、重要範囲判定部１４は、区間情報記憶部１８ｂに記憶されている各区間の区間情報のうち、区間重要度が「１」以上の区間情報を抽出し、その区間重要度に対応する範囲の増減調整値を判定テーブルから特定する。この場合において、区間情報記憶部１８ｂに記憶されている区間情報が図１９に示す通りであった場合、区間識別情報「区間１」、「区間３」、及び「区間５」が抽出されることとなる。そして、図２０に示す判定テーブルに基づいて重要範囲が判定され、その結果「０：００：００〜０：１５：００」、「０：２８：００〜０：４７：００」、「０：５９：００〜１：１６：００」の三つが重要範囲として判定され、加工データ生成部１５に送信されることとなる。
【０１２０】
上述の実施形態とすることにより、システム側で自動的に開始点並びに終了点の判定を自動で行うことが可能となることに加え、ユーザがより重要であると感じている箇所については、より長い時間再生されるように自動調整した形で加工処理を行うということも可能となり、ユーザ編集作業の手間をさらに軽減することができる。
【実施例３】
【０１２１】
〔実施例３−構成（１）〕
次に、本発明の第三実施形態について説明する。本発明の第三実施形態の全体構成は、図１に示すものと同様、管理サーバＡが複数のクライアント端末Ｂと通信ネットワークＮを介して接続されるという形で構成されている。さらに、端末Ｂと、外部表示装置Ｃ及び外部入力装置Ｄとが、直接接続又はネットワークＮを介して接続されるという形式で構成されている。
【０１２２】
次に、図２１の機能ブロック図を用いて、本発明の表示変更システムの第三実施形態を説明する。なお、実施例１と同一の構成部には同一の符号を付しており、実施例１と同じ動作をする場合にはその詳細な説明は省略する。
【０１２３】
本発明の映像編集支援システムの第三実施形態は、管理サーバＡの内部に、映像が再生された時点における再生状況を解析した解析情報を取得する解析情報取得部１９ａと、取得した解析情報を記憶する解析情報記憶部１９ｂを備えているという点において、実施例１の実施形態と異なっている。
【０１２４】
以下、各構成部の動作について説明する。なお、実施例１と同様の構成部又は同様の動作については、詳細な説明を省略する。
【０１２５】
解析情報取得部１９ａは、表示制御部１７が端末Ｂに対して送信した映像情報の、端末Ｂにおける再生状況を取得し、取得した再生状況と当該映像の映像識別情報とを関連付けて解析情報を生成し、解析情報記憶部１９ｂに記憶する。ここでいう再生状況とは、ユーザが映像をどういう状態で再生したのかという状況のことをいい、具体的には、映像の再生スピードや音声の等の情報が再生状況として取得できる情報の一例として考えられる。
【０１２６】
解析情報記憶部１９ｂには、解析情報取得部１９ａが取得した解析情報が記憶される。その際の記憶形式は、解析情報に含まれる映像識別情報を利用して、映像別に関連付けて記憶するという形式にすると好適である。
【０１２７】
重要範囲判定部１４は、ポイント情報記憶部１２に記憶されているポイント情報に対応する映像情報を、ポイント情報に含まれている映像識別情報を利用して映像情報記憶部１３から抽出し、その抽出した映像情報内における重要範囲を判定する。さらにその後、解析情報記憶部１９ｂに記憶されている解析情報の中から、映像識別情報を利用して対応する解析情報を抽出し、その解析情報を利用して重要範囲に修正を加える。そして、重要範囲判定部１４は、修正した修正重要範囲情報を加工データ生成部１５に送信する。
【０１２８】
上記の補正重要範囲の生成方法について詳細に説明する。この方法は、まず、重要範囲判定部１４の内部に修正を行うための基準となる修正テーブル（図示せず）を設け、その修正テーブルに所定値を予め定めておく。この修正テーブルには、解析情報の内容と重要範囲の修正内容とが関連付けて記憶されているものとする。次に、重要範囲判定部１４は、解析情報記憶部１９ｂに記憶されている解析情報を抽出し、その解析情報に対応する重要範囲の修正内容を修正テーブルから特定する。そして、特定した修正内容に応じて、判定した重要範囲に対して修正を行うというものである。
【０１２９】
〔実施例３−構成（２）〕
次に、図面を用いて本実施形態の別構成について説明する。本構成は図４に示すものと同様、端末Ｂと外部表示装置Ｃ及び外部入力装置Ｄとが、直接接続又はネットワークＮを介して接続されるというものである。また、その接続形式は、無線接続形式でも優先接続形式でも、そのどちらであっても構わない。
【０１３０】
次に、図２２の機能ブロック図を用いて、本発明の表示変更システムの本実施形態の構成（２）について説明する。なお、構成（１）と同一の構成部には同一の符号を付しており、構成（１）と同じ動作をする場合にはその詳細な説明は省略する。
【０１３１】
本発明の表示変更システムの本実施例における構成（２）は、端末Ｂの内部に、ポイント情報記憶部１２、映像情報記憶部１３、重要範囲判定部１４、加工データ記憶部１５、加工処理部１６、表示制御部１７、解析情報取得部１９ａ、及び解析情報記憶部１９ｂを有しているという点において、本実施例の構成（１）と異なっている。
【０１３２】
本構成（２）は、本実施例の構成（１）のように管理サーバＡを設けず、端末Ｂのみで本発明を実現することができるという点に特徴がある。上述のように構成することにより、本発明のシステム構成に関わる作業や費用を削減することができる。
【０１３３】
〔実施例３−処理プロセス〕
次に、本発明の映像編集支援システムにおける処理プロセスの一例を、図２１の機能ブロック図及び図２３のフローチャート等を用いて説明する。なお、以下の説明では、解析情報に含まれる再生状況として、ユーザによる映像の再生スピードを用いる場合について説明する。
【０１３４】
図１６のフローチャートにおける（Ｓ３０５）、及び（Ｓ３０７）以外の動作については、〔実施例１−処理プロセス〕と同様のため、その説明を省略する。
【０１３５】
解析情報取得部１９ａは、表示制御部１７から、端末Ｂにおける映像情報の再生状況を取得し、取得した再生状況と当該映像の映像識別情報とを関連付けて解析情報を生成して、解析情報記憶部１９ｂに記憶する（Ｓ３０５）。記憶される解析情報の一例を、図２４に示す。
【０１３６】
重要範囲判定部１４は、ポイント情報記憶部１２に記憶されているポイント情報に対応する映像情報を、ポイント情報に含まれている映像識別情報を利用して映像情報記憶部１３から抽出し、その抽出した映像情報内における重要範囲を判定する。さらにその後、解析情報記憶部１９ｂに記憶されている解析情報の中から、映像識別情報を利用して対応する解析情報を抽出し、その解析情報を利用して重要範囲に修正を加える。そして、重要範囲判定部１４は、修正した修正重要範囲情報を加工データ生成部１５に送信する（Ｓ３０７）。
【０１３７】
上記の重要範囲に修正を加える処理について具体的に説明する。まず、重要範囲判定部１４は、解析情報記憶部１９ｂに記憶された解析情報を抽出し、その解析情報に基づいて重要範囲に修正を加える。その修正内容は、重要範囲判定部１４の内部に設けられた修正テーブルを利用することにより行われる。この修正テーブルに記憶されている内容の一例を、図２５に示す。
【０１３８】
本実施例において、ポイント情報記憶部１２に記憶されているポイント情報が図１０に示す通りであった場合、まず、重要範囲判定部１４によって、映像識別情報「Ｖ００１」に対応する映像の重要範囲は「０：０５：２０〜０：１５：２０」、「０：２０：４０〜０：３０：４０」、「０：３７：０５〜０：４７：０５」の三つであると判定される。次に、重要範囲判定部１４は、修正テーブルにより再生状況「２倍速」に対応する修正内容を抽出し、この判定した三つの重要範囲に対して修正を加える。その結果、修正重要範囲は「０：０４：２０〜０：１６：２０」、「０：１９：４０〜０：３１：４０」、「０：３６：０５〜０：４８：０５」となる。そして、そして、映像識別情報「Ｖ００１」に該当する映像情報の中から全体の再生時間「０：５５：３０」を抽出し、そこから重要範囲を除外した不要範囲を判定する。その結果、「０：００：００〜０：０４：２０」、「０：１６：２０〜０：１９：４０」、「０：３１：４０〜０：３６：０５」、「０：４８：０５〜０：５５：３０」の四つであると判定される。重要範囲判定部１４は、この判定された重要範囲と不要範囲に関する情報を修正重要範囲情報としてまとめて、加工データ記憶部１５に送信する。
【０１３９】
本発明のように構成することにより、ユーザが映像をどういう状態で視聴したのかという再生状況を把握し、編集箇所の開始点と終了点をユーザの視聴状況に応じて細かく調整することが可能となり、ユーザ編集作業の手間をさらに軽減することができる。
【符号の説明】
【０１４０】
Ａ：管理サーバ
Ｂ：端末
Ｃ：外部表示装置
Ｄ：外部入力装置
１：演算装置
２：記憶装置
３：通信装置
４：入力装置
５：表示装置
１０：ネットワークＩ／Ｆ
１１：ポイント情報取得部
１２：ポイント情報記憶部
１３：映像情報記憶部
１４：重要範囲判定部
１５：加工データ記憶部
１６：加工処理部
１７：表示制御部
１８ａ：区間設定部
１８ｂ：区間情報記憶部
１８ｃ：区間重要度決定部
１９ａ：解析情報取得部
１９ｂ：解析情報記憶部
２０：ネットワークＩ／Ｆ
２１：表示情報受信部
２２：端末制御部
２３：端末表示装置
２４：端末入力装置
２５：ポイント情報生成部
【図１】
0005599632.tif 000002
【図２】
0005599632.tif 000003
【図３】
0005599632.tif 000004
【図４】
0005599632.tif 000005
【図５】
0005599632.tif 000006
【図６】
0005599632.tif 000007
【図７】
0005599632.tif 000008
【図８】
0005599632.tif 000009
【図９】
0005599632.tif 000010
【図１０】
0005599632.tif 000011
【図１１】
0005599632.tif 000012
【図１２】
0005599632.tif 000013
【図１３】
0005599632.tif 000014
【図１４】
0005599632.tif 000015
【図１５】
0005599632.tif 000016
【図１６】
0005599632.tif 000017
【図１７】
0005599632.tif 000018
【図１８】
0005599632.tif 000019
【図１９】
0005599632.tif 000020
【図２０】
0005599632.tif 000021
【図２１】
0005599632.tif 000022
【図２２】
0005599632.tif 000023
【図２３】
0005599632.tif 000024
【図２４】
0005599632.tif 000025
【図２５】
0005599632.tif 000026